(57)【要約】【課題】１回の搬送工程により短い時間で用紙の両面に画像を形成することを可能とするとともに、用紙の両面に乱れのない高画質のトナー画像を形成し、定着させることを可能とする画像形成装置を提供する。【解決手段】第１の感光体２上に形成されたトナー画像を用紙３の一方面に転写する第１の転写手段を備えた第１の画像形成手段６と、この第１の画像形成手段６に対して用紙３の搬送方向下流側に配置され、第２の感光体７上に形成されたトナー画像を用紙３の他方面に転写する第２の転写手段を備えた第２の画像形成手段１０とを有し、第２の転写手段が用紙３の上面４に接触するとともに所定の定着温度に加熱可能である。【選択図】　　　図１
2004077857.tif 000002
【特許請求の範囲】
【請求項１】
第１の感光体上に形成されたトナー画像を用紙の一方面に転写する第１の転写手段を備えた第１の画像形成手段と、この第１の画像形成手段に対して用紙の搬送方向下流側に配置され、第２の感光体上に形成されたトナー画像を用紙の他方面に転写する第２の転写手段を備えた第２の画像形成手段とを有し、前記第２の転写手段が用紙の一方面に接触するとともに所定の定着温度に加熱可能であることを特徴とする画像形成装置。
【請求項２】
前記第１の画像形成手段において用いるトナーの融点を、前記第２の画像形成手段において用いるトナーの融点よりも低くするとともに、前記第２の転写手段の定着温度を前記第１の画像形成手段において用いるトナーの融点と前記第２の画像形成手段において用いるトナーの融点との間の温度とすることを特徴とする請求項１記載の画像形成装置。
【請求項３】
前記第２の画像形成手段の第２の感光体を冷却する冷却手段を有することを特徴とする請求項１又は２記載の画像形成装置。
【発明の詳細な説明】
【０００１】
【発明の属する技術分野】
本発明は、コピー機、プリンタ、ファクシミリ装置等の電子写真方式の画像形成装置であって、１回の搬送工程で用紙の両面に画像を形成することが可能な装置に関する。
【０００２】
【従来の技術】
コピー機、プリンタ等の電子写真方式の画像形成装置において、用紙の両面に画像を形成する技術として、従来は、２回の搬送工程で用紙の両面に画像を形成する方式が主流であった。この方式は、用紙の搬送機構に特徴を有しており、１回目の搬送工程において、電子写真方式における帯電、露光、現像、転写及び定着の各画像形成プロセスを行う画像形成手段により用紙の一方の面に画像を形成した後、用紙を搬送しつつその表裏を反転させ、２回目の搬送工程において再度画像形成手段により用紙の他方の面に画像を形成するというものであり、画像形成手段自体は通常の用紙の片面に画像を形成する画像形成装置と同様の構成となっている。
【０００３】
ところが、このような２回の搬送工程で用紙の両面に画像を形成する方式では、用紙の片面ずつ順番に画像形成を行うため、１の画像形成手段に用紙を２回搬送する必要があり、両面の画像形成には時間を要するという問題がある。そこで、画像形成に要する時間を短縮するために、１回の搬送工程で用紙の両面に同時に画像を形成することができる画像形成装置が求められている。
【０００４】
【発明が解決しようとする課題】
しかしながら、そのような１回の搬送工程で用紙の両面に同時に画像を形成する方式を実現するためには、以下のような問題を解決する必要があった。すなわち、この方式では、用紙の表面に画像を形成する第１の画像形成手段と、用紙の裏面に画像を形成する第２の画像形成手段との２つの画像形成手段を用いて、１枚の用紙の両面にそれぞれ画像形成プロセスを行い、その後、用紙の両面に形成されたトナー画像を定着して用紙上に画像を形成する。ところが、例えば正に帯電したトナーを用いる場合には、第１の画像形成手段により用紙の表面に形成されたトナー画像を定着する前に、第２の画像形成手段において感光体上に形成されたトナー画像を用紙の裏面に転写するプロセスを行うが、この際、トナー画像を用紙に吸着させるために、感光体と用紙が接する位置において用紙の反対側、すなわち用紙の表面からコロナ帯電器等により負の電荷を付与する必要がある。ところが、この用紙の表面には第１の画像形成手段において形成されたトナー画像が存在するため、このトナー画像を形成するトナーがコロナ帯電器等に吸引されて、第１の画像形成手段において形成されたトナー画像が乱れるという問題があった。
【０００５】
本発明は、上記課題に鑑みてなされたものであり、１回の搬送工程により短い時間で用紙の両面に画像を形成することを可能とするとともに、用紙の両面に乱れのない高画質のトナー画像を形成し、定着させることを可能とする画像形成装置を提供することを技術課題とするものである。
【０００６】
【課題を解決するための手段】
上記技術課題を解決するための具体的手段は、次のようなものである。すなわち、請求項１に記載する画像形成装置は、第１の感光体上に形成されたトナー画像を用紙の一方面に転写する第１の転写手段を備えた第１の画像形成手段と、この第１の画像形成手段に対して用紙の搬送方向下流側に配置され、第２の感光体上に形成されたトナー画像を用紙の他方面に転写する第２の転写手段を備えた第２の画像形成手段とを有し、前記第２の転写手段が用紙の一方面に接触するとともに所定の定着温度に加熱可能であることを特徴とするものである。
【０００７】
請求項２に記載する画像形成装置は、請求項１に記載する構成において、前記第１の画像形成手段において用いるトナーの融点を、前記第２の画像形成手段において用いるトナーの融点よりも低くするとともに、前記第２の転写手段の定着温度を前記第１の画像形成手段において用いるトナーの融点と前記第２の画像形成手段において用いるトナーの融点との間の温度とすることを特徴とするものである。
【０００８】
請求項３に記載する画像形成装置は、請求項１又は２に記載する構成において、前記第２の画像形成手段の第２の感光体を冷却する冷却手段を有することを特徴とするものである。
【０００９】
【発明の実施の形態】
以下、本発明の実施形態に係る画像形成装置１について図面に基づいて説明する。図１は、本発明の実施形態に係る画像形成装置１の構成を示す図である。この図に示すように、本発明の実施形態に係る画像形成装置１は、第１の感光体２上に形成されたトナー画像を用紙３の上面４に転写する第１の転写手段を備えた第１の画像形成手段６と、この第１の画像形成手段６に対して用紙３の搬送方向下流側に配置され、第２の感光体７上に形成されたトナー画像を用紙３の下面８に転写する第２の転写手段を備えた第２の画像形成手段１０とを有し、第２の転写手段が用紙３の上面４に接触するとともに所定の定着温度に加熱可能である構成となっている。以下、これらの各部の構成について更に詳細に説明する。
【００１０】
本実施形態に係る画像形成装置１においては、用紙３は、用紙カセット１１に多数収納されており、給紙ローラ１２により１枚ずつ分離して搬送路に供給され、この搬送路に沿って搬送されつつ画像が形成される。したがって、この搬送路に沿って用紙３が搬送される経路が用紙３の搬送経路１３となり、この搬送経路１３に沿って第１の画像形成手段６、第２の画像形成手段１０、及び第２の定着手段が配置されている。ここでの用紙３の搬送経路１３上における搬送手段については後述する。
【００１１】
第１の画像形成手段６は、用紙３の搬送方向上流側に配置され、用紙３の上面４にトナー画像を形成する手段である。本実施形態においては、この第１の画像形成手段６は、第１の感光体２、帯電器１５、露光器１６、現像器１７、転写器１８、及びクリーナ１９を有して構成されている。そして、この転写器１８が本発明における第１の転写手段を構成する。
【００１２】
第１の感光体２は、アルミニウム等の導電性支持体の表面にＯＰＣ（ＯｒａｇａｎｉｃＰｈｏｔｏ　Ｃｏｎｄｕｃｔｏｒ）やセレン等の感光層を形成して構成したものであり、本実施形態においては、ドラム状に形成されたいわゆる感光体ドラムにより構成されている。そして、このドラム状の第１の感光体２の表面に静電潜像が形成される。帯電器１５は、感光体２の表面に電子やイオン等を付着させて一定の電位に均一に帯電させる装置であって、具体的には、非接触方式のコロナ帯電器や接触方式のブラシ帯電器等が用いられる。露光器１６は、感光体２の表面に光を照射して帯電電荷を除去することにより、感光体２の表面に静電潜像を形成する装置であって、このための露光光学系として、具体的には、ＬＥＤ光学系や半導体レーザ光学系等が用いられる。現像器１７は、感光体２の表面に形成された静電潜像にトナーを付着させて可視のトナー画像とする装置であって、トナーを帯電させ、帯電したトナーを第１の感光体２側へ搬送し、感光体２の表面の静電潜像にトナーを付着させるという３つの工程を行う。
【００１３】
転写器１８は、第１の感光体２の表面に形成されたトナー画像を用紙３の上面４に転写させる装置であって、この転写器１８が本発明における第１の転写手段を構成する。この転写器１８としては、例えば、コロナ帯電器や電圧を印加した導電ローラ等が用いられるが、本実施形態においては、電圧を印加した導電ローラを用いることとしている。そして、この転写器１８により用紙３のトナー画像が形成される上面４とは反対側の下面８にトナーとは逆極性の電荷を与えることにより、第１の感光体２の表面に形成されたトナー画像を用紙３に吸着させて転写させる。クリーナ１９は、感光体２の表面に残留するトナーやその他の付着物を除去する装置であって、具体的には、磁気ブラシクリーナやブラシローラ等が用いられる。
【００１４】
そして、ここでは、第１の画像形成手段６の現像器１７から感光体２に供給するトナーとして比較的低融点のトナーを用いることとする。これは、後述する第２の画像形成手段１０の現像器２０から第２の感光体７に供給するトナーとして比較的高融点のトナーを用い、第１の画像形成手段６において用いるトナーと第２の画像形成手段１０において用いるトナーとの融点に差を設けることにより、第２の画像形成手段１０により用紙３の下面８に形成された高融点のトナーによるトナー画像に影響を与えることなく、先に第１の画像形成手段６により用紙３の上面４に形成された低融点のトナーによるトナー画像のみを定着させることを可能とするためである。そのため、本実施形態においては、後述するように、第２の画像形成手段１０の第２の転写手段を構成する転写器２１を、第１の画像形成手段６のトナー画像を加熱して定着させるための第１の定着手段としても用いることとし、この第２の画像形成手段１０の転写器２１により用紙３の下面８にトナー画像を転写する際に、同時に第１の画像形成手段６において既に用紙３の上面４に形成されたトナー画像を加熱して定着させることとしている。なお、この第２の画像形成手段１０の転写器２１の構成については後に詳細に説明する。ここで、第１の画像形成手段６で用いる比較的低融点のトナーの融点と、第２の画像形成手段１０で用いる比較的高融点のトナーの融点との差は、大きい程転写器２１の定着温度の制御が容易になるため望ましいが、具体的には約３０℃以上とすると好適である。したがって、例えば、低融点のトナーとしては、１３０〜１５０℃程度の融点のものを使用し、高融点のトナーとしては、１８０〜２００℃程度の融点のものを使用すると好適である。
【００１５】
また、本実施形態においては、第１の画像形成手段６の現像器１７から第１の感光体２に供給するトナーとして正帯電性のトナーを用いることとする。したがって、帯電器１５は、第１の感光体２の表面を均一な正の電位に帯電させることとし、露光器１６は、第１の感光体２の表面の画像部分に光を照射して正の帯電電荷を除去することにより静電潜像を形成する。そして、現像器１７は、トナーを正に帯電させて第１の感光体２に供給し、その感光体２の表面に正に帯電したトナーによるトナー画像を形成する。したがって、転写器１８は、用紙３のトナー画像が形成される面とは反対側の面、すなわち用紙３の下面８に負の電荷を与えることにより、第１の感光体２上に形成されたトナー画像を用紙３に吸着させて転写する。このような正帯電性のトナーとしては、例えばアミノ基や酸素等の置換基を含む電子供与性を有する材料を用いて構成されたものが使用される。なお、ここで用いるトナーとして負帯電性のトナーを用いることも可能である。その場合、上述した第１の画像形成手段６の各部における帯電電位は正負が逆となる。このような負帯電性のトナーとしては、例えばカルボン酸やフッ素等の置換基を含む電子受容性を有する材料を用いて構成されたものが使用される。
【００１６】
第２の画像形成手段１０は、第１の画像形成手段６に対して用紙３の搬送方向下流側に配置され、用紙３の下面８にトナー画像を形成する手段である。本実施形態においては、この第２の画像形成手段１０は、前述の第１の画像形成手段６と同様に、第２の感光体７、帯電器２２、露光器２３、現像器２０、転写器２１、及びクリーナ２４を有して構成されている。そして、この転写器２１が本発明における第２の転写手段を構成する。ただし、この第２の画像形成手段１０における転写器２１は、用紙３の上面４に接触するとともに所定の定着温度に加熱可能であり、第１の画像形成手段６により用紙３の上面４に形成されたトナー画像を加熱して定着する第１の定着手段としての機能をも果たす。この第２の画像形成手段１０の転写器２１以外の第２の感光体７、帯電器２２、露光器２３、現像器２０、及びクリーナ２４の具体的構成については、前述の第１の画像形成手段６と同様であるため省略する。
【００１７】
そして、上述の通り、第２の転写手段及び第１の定着手段を構成する転写器２１により、先に第１の画像形成手段６により用紙３の上面４に形成された低融点のトナーによるトナー画像のみを定着させることを可能とするために、この第２の画像形成手段１０の現像器２０から第２の感光体７に供給するトナーとして比較的高融点のトナーを用いることとする。また、ここでは、この第２の画像形成手段１０の現像器２０から第２の感光体７に供給するトナーの帯電極性は、第１の画像形成手段６と同様に正帯電性とする。
【００１８】
この第２の画像形成手段１０の転写器２１は、上述の通り、用紙３の上面４に接触するとともに、所定の定着温度に加熱可能な構成を有している。そして、この転写器２１は、用紙３のトナー画像が形成される下面８とは反対側の上面４にトナーとは逆極性の負の電荷を与えることにより、第２の感光体７の表面に形成されたトナー画像を用紙３に吸着させて転写させる。また、この際、転写器２１は、第１の画像形成手段６により既にトナー画像が形成された用紙３の上面４を所定の定着温度で加熱することにより、用紙３の上面４にトナー画像を定着させる。そのため、本実施形態においては、この転写器２１は、用紙３の搬送経路１３を挟んでドラム状の第２の感光体７と対向する位置に配置され、外周面に導電ゴム等の導電性部材を用いて円筒形状に形成された導電性ローラ２５と、この導電性ローラ２５の外周面にトナーと逆極性の負の電圧を印加する電圧印加装置２６と、導電性ローラ２５の内部に配置された熱源２７とを有して構成されている。ここで、転写器２１の熱源２７としては、導電性ローラ２５の表面全体がほぼ均一な温度となるように加熱することができるものを用いることとし、例えば、導電性ローラ２５の中心軸に沿って配置された棒状のハロゲンランプ等が好適に用いられる。
【００１９】
そして、この熱源２７により加熱される転写器２１の導電性ローラ２５の表面の温度、すなわち第１の定着手段をも構成する第２の転写手段の定着温度は、第１の画像形成手段６において用いる比較的低融点のトナーの融点と第２の画像形成手段１０において用いる比較的高融点のトナーの融点との間の温度とする。したがって、例えば、第１の画像形成手段６において用いるトナーの融点が１４０℃であって、第２の画像形成手段１０において用いるトナーの融点が１９０℃である場合には、転写器２１の定着温度はそれらの中間の温度である１６０〜１７０℃程度ととなるように制御すると好適である。これにより、第２の画像形成手段１０の第２の感光体７から転写器２１により用紙３の下面８にトナー画像を転写する際に、第１の画像形成手段６により既に用紙３の上面４に形成されたトナー画像のトナーは融点を超える温度となるが、第２の画像形成手段１０により用紙３の下面８に転写されるトナー画像のトナーは融点を超えない温度となるため、第２の画像形成手段１０により用紙３の下面８に転写されるトナー画像に影響を与えることなく、第１の画像形成手段６により用紙３の上面４に形成されたトナー画像のみを定着させることができる。
【００２０】
また、本実施形態に係る画像形成装置１は、第２の画像形成手段１０の第２の感光体７を冷却する冷却手段を有している。すなわち、この冷却手段は、第１の定着手段として機能するために加熱された転写器２１の熱が、この転写器２１に対向して配置されている第２の感光体７に伝導されることにより、この第２の感光体７の温度上昇が生じることを抑制するためのものである。そのため、本実施形態においては、この冷却手段は、第２の感光体７に向けて送風することにより第２の感光体７を空冷する冷却ファン２８により構成されている。なお、この冷却手段の構成はこれに限定されるものではなく、第２の感光体７を冷却することができる構成であればよい。したがって、例えば、図２に示すように、第２の感光体７の内部における表面部近傍に所定の間隔で軸方向に延びる多数の冷却管２９を設け、この冷却管２９の内部に冷媒を循環させることにより第２の感光体７を冷却する構成とすることが可能である。また、例えば、図３に示すように、第２の感光体７の表面に接して対向する位置に、第２の感光体７の回転に従って回転する冷却ローラ３０を配置し、この冷却ローラ３０を冷媒等により冷却することにより第２の感光体７を冷却する構成とすることも可能である。そして、このような冷却手段を設ける理由は、感光体７を構成するＯＰＣ（Ｏｒａｇａｎｉｃ　Ｐｈｏｔｏ　Ｃｏｎｄｕｃｔｏｒ）やセレン等の感光層は高温で変質する可能性があるからである。したがって、アモルファスシリコン等の高温に強い感光体を用いる場合には、この冷却手段を設けないことも可能である。
【００２１】
また、この第２の画像形成手段１０に対して用紙３の搬送方向下流側には、定着器３１が設けられている。この定着器３１が第２の画像形成手段１０により用紙３の下面８に形成されたトナー画像を加熱して定着する第２の定着手段を構成する。本実施形態においては、この定着器３１は、用紙３の搬送経路１３を挟んでその両側に配置された一対のローラであって、そのうちの下側のローラ３２の内部に熱源３３が配置されて構成されている。この定着器３１を構成する上側のローラ３４及び下側のローラ３２は、それぞれ円筒形に形成され、その表層部分には、用紙３を適度に加圧するためのシリコンゴムや４ふっ化エチレン重合体等の弾性を有する部材が設けられている。また、この定着器３１の内部の熱源３３としては、下側のローラ３２の表面全体がほぼ均一な温度となるように加熱することができるものを用いることとし、例えば、下側のローラ３２の中心軸に沿って配置された棒状のハロゲンランプ等が好適に用いられる。この定着器３１により、第２の画像形成手段１０において用紙３の下面８に形成されたトナー画像を加熱して定着させることができる。
【００２２】
ところで、用紙３の搬送経路１３における搬送手段としては、基本的には、従来より公知のコピー機やプリンタ等と同様の構成とすることができ、例えば、図示しないが、用紙３の搬送経路１３に沿って配置されたガイドやローラ等により構成することができる。しかし、本実施形態においては、第２の画像形成手段１０により用紙３の下面８にトナー画像を形成することとしているので、第２の画像形成手段１０から定着器３１までの間の用紙３の搬送に際して、用紙３の下面８をガイドやローラ等により支持すると、これらのガイドやローラ等が用紙３の下面８に形成されたトナー画像に接触してトナー画像が乱れることとなる。そこで、第２の画像形成手段１０から定着器３１までの間における用紙３の搬送手段としては、例えば、以下のようにすると好適である。
【００２３】
このような用紙３の搬送手段の第１の例としては、図４から図６に示すように、用紙３の前端部３６を握持して搬送する構成のものがある。本実施形態においては、この搬送手段は、用紙３の前端部３６を握持する握持機構３７と、この握持機構３７を用紙３の搬送方向下流側へ移動させる移動機構３８と、用紙３の前端部３６が握持機構３７による握持位置に搬送されたことを検出する第１センサ３９と、用紙３の前端部３６が握持機構３７の開放位置に搬送されたことを検出する第２センサ４０とを有して構成されている。
【００２４】
握持機構３７は、用紙３の前端部３６の２箇所を握持するために用紙３の幅方向に２個配置されている。この握持機構３７は、用紙３の上面４及び下面８に接する握持パッド４１と、この握持パッド４１を支持するブラケット４２と、上方のブラケット４２を上下動させるソレノイド４３及び付勢ばね４４とを有して構成されている。ここで、ブラケット４２は握持パッド４１を揺動可能に支持するものとするとともに、上下の握持パッド４１の隙間は用紙３の挿入される側が常に広く開口するようにブラケット４２の重心を偏心させた構成とすると好適である。また、移動機構３８は、これらの握持機構３７を支持する移動フレーム４５と、この移動フレーム４５を用紙３の搬送方向に摺動可能に支持するスライダ４６及びガイドレール４７と、この移動フレーム４５を用紙３の搬送方向に駆動する駆動機構４８とを有して構成されている。ここでは、図５に示すように、この駆動機構４８は、モータ４９と、このモータ４９の駆動軸に固定された駆動歯車５０と、この駆動歯車５０により回転駆動される従動歯車５１と、スライダ４６の一方に固定され、この従動歯車５１により直線駆動されるラック５２とを有して構成されている。
【００２５】
第１センサ３９は、移動フレーム４５が用紙３の搬送方向の最も上流側に位置する状態における握持パッド４１の直前の位置において、用紙３の前端部３６を検出するセンサであって、ここでは一対の投光素子と受光素子とから構成されている。このため、移動フレーム４５には、この第１センサ３９の光路を確保するための後部切欠き５３が形成されている。そして、図４に示すように、この第１センサ３９が用紙３の前端部３６を検出した際には、握持機構３７のソレノイド４３が動作を開始し、上下の握持パッド４１の間に用紙３の前端部３６を握持する。一方、第２センサ４０は、移動フレーム４５が用紙３の搬送方向の最も下流側に位置する状態において、用紙３の前端部３６を検出するセンサであって、ここでは一対の投光素子と受光素子とから構成されている。このため、移動フレーム４５には、この第２センサ４０の光路を確保するための前部切欠き５４が形成されている。そして、図６に示すように、この第２センサ４０が用紙３の前端部３６を検出した際には、握持機構３７のソレノイド４３が動作を開始し、用紙３の前端部３６の握持を解除して用紙３を搬送方向に搬送する。
【００２６】
また、用紙３の搬送手段の第２の例としては、図７に示すように、用紙３の搬送経路１３の両側から空気を噴出し、その空気の圧力により用紙３を浮かせて搬送する構成のものがある。本実施形態においては、この搬送手段は、噴出する空気の流れを生じさせる空気流生成装置５５と、この空気流生成装置５５により生成された空気流を用紙３の搬送経路１３の両側に適性な空気圧が生じるように噴出させる空気噴出部５６とを有して構成されている。
【００２７】
空気流生成装置５５は、空気を所定の流速で空気噴出部５６に供給するための装置であって、具体的にはコンプレッサーやファン等により構成される。ここでは、上下に２個の空気流生成装置５５を備えることとしているが、上下の空気噴出部５６に対して１個の空気流生成装置５５から空気流を供給することも可能である。また、空気噴出部５６は、空気流生成装置５５から供給された空気流を用紙３の搬送経路１３の両側から噴出させる空気流路を形成するものであって、ここでは、用紙３の搬送経路１３の両側に適性な空気圧が生じるように多数の噴出孔５７が用紙３の搬送経路１３に面して設けられた中空の板状に形成されたものとしている。この噴出孔５７の設けられる密度は、搬送中に用紙３にたわみが生じないようにするため、搬送方向上流側の密度が高く、搬送方向下流側の密度が低くなるようにすると好適である。
【００２８】
【発明の効果】
以上説明したように、本発明の請求項１に係る画像形成装置によれば、第１の感光体上に形成されたトナー画像を用紙の一方面に転写する第１の転写手段を備えた第１の画像形成手段と、この第１の画像形成手段に対して用紙の搬送方向下流側に配置され、第２の感光体上に形成されたトナー画像を用紙の他方面に転写する第２の転写手段を備えた第２の画像形成手段とを有することにより、１回の搬送工程により用紙の両面に画像を形成することができるので、用紙の両面に画像を形成する際の処理時間を大幅に短縮することができる。また、前記第２の転写手段が用紙の一方面に接触するとともに所定の定着温度に加熱可能であることにより、第２の画像形成手段によるトナー画像の転写の際に、第１の画像形成手段により用紙の一方面に形成されたトナー画像の定着を同時に行うことができる。また、接触方式の転写手段を用いるため、非接触方式の転写手段のようにトナー画像のトナーを吸引することがほとんどない。したがって、第２の画像形成手段によるトナー画像の転写の際に、第１の画像形成手段により用紙の一方面に形成されたトナー画像が乱れることを防止することができるので、用紙の両面に乱れのない高画質のトナー画像を形成し、定着させることが可能となる。
【００２９】
本発明の請求項２に係る画像形成装置によれば、上述の効果に加えて、前記第１の画像形成手段において用いるトナーの融点を、前記第２の画像形成手段において用いるトナーの融点よりも低くするとともに、前記第２の転写手段の定着温度を前記第１の画像形成手段において用いるトナーの融点と前記第２の画像形成手段において用いるトナーの融点との間の温度とすることにより、第２の画像形成手段によるトナー画像の転写の際に、第１の画像形成手段により既に用紙の一方面に形成されたトナー画像のトナーは融点を超える温度となるが、第２の画像形成手段により用紙の他方面に転写されるトナー画像のトナーは融点を超えない温度となるため、第２の画像形成手段により用紙の他方面に転写されるトナー画像に影響を与えることなく、第１の画像形成手段により用紙の一方面に形成されたトナー画像のみを好適に定着させることができる。
【００３０】
本発明の請求項３に係る画像形成装置によれば、上述の効果に加えて、前記第２の画像形成手段の第２の感光体を冷却する冷却手段を有することにより、第２の転写手段の熱が、これに対向して配置されている第２の感光体に伝導されて温度上昇が生じることを抑制することができ、熱に弱い感光体を保護することが可能となる。
【図面の簡単な説明】
【図１】本発明の実施形態に係る画像形成装置の構成を示す図である。
【図２】本発明の実施形態に係る画像形成装置において、冷却手段の第２の例を示す図である。
【図３】本発明の実施形態に係る画像形成装置において、冷却手段の第３の例を示す図である。
【図４】本発明の第１の実施形態に係る画像形成装置における用紙の搬送手段の第１の例を示す図である。
【図５】図４のＡ−Ａ断面図である。
【図６】本発明の第１の実施形態に係る画像形成装置における用紙の搬送手段の第１の例により用紙を搬送した後の状態を示す図である。
【図７】本発明の第１の実施形態に係る画像形成装置における用紙の搬送手段の第２の例を示す図である。
【符号の説明】
１　画像形成装置
２　第１の感光体
３　用紙
４　用紙の上面
６　第１の画像形成手段
７　第２の感光体
８　用紙の下面
１０　第２の画像形成手段
１３　用紙の搬送経路
１８　第１の画像形成手段の転写器
２１　第２の画像形成手段の転写器
２５　導電性ローラ
２６　電圧印加装置
２７　転写器の熱源
２８　冷却ファン
２９　冷却管
３０　冷却ローラ
３１　定着器
【図１】
2004077857.tif 000003
【図２】
2004077857.tif 000004
【図３】
2004077857.tif 000005
【図４】
2004077857.tif 000006
【図５】
2004077857.tif 000007
【図６】
2004077857.tif 000008
【図７】
2004077857.tif 000009